(57)【要約】【課題】  Ｕ字溝等の狭小の溝状構築物の上部の水平切断を行うにあたって、その作業性を向上させ、比較的短時間に綺麗に作業を完了することのできる溝状構築物の側壁切断工法並びに装置を提供する。【解決手段】  走行機体２と、この走行機体２に取り付けられ、切断作用面３３ａを水平に配設した切断系装置３とを具えて成り、前記切断刃は、切断作用面３３ａを水平配置すると共に、作業中心から左右方向に偏寄自在に構成されている。また前記切断刃は、溝状構築物Ｕの案内部Ｕ２幅寸法より小径の補助切断刃と、溝状構築物Ｕの外径幅寸法にほぼ合致した主切断刃３３Ｍとが付け替え自在に備えられている。そして最初に補助切断刃３３Ｓを用いて溝状構築物Ｕに対し、作業開始スペースＳを確保した上で、主切断刃３３Ｍによる左右両側壁Ｕ１の同時切断を行うことを特徴とする。【選択図】図１
2006256218.tif 000002
【特許請求の範囲】
【請求項１】
溝状構築物の案内部幅寸法より小径の補助切断刃を、切断作用面を水平配置とした状態で案内部内の切断高さに安定的に配置し、その後、この補助切断刃を切断対象である側壁側に偏寄させて、左右の側壁を片側ずつそれぞれ内側から切り込み、これを案内部長手方向に主切断刃が配置できる範囲に渡って続けることにより、この範囲における溝状構築物の両側部を切断して主切断刃の外径幅寸法にほぼ合致した主切断刃の作業開始スペースを確保し、次いで前記補助切断刃に替え、主切断刃を前記作業開始スペースへ切断作用面を配置した状態で長手方向の残余の側壁両面に同時に作用させ、切り込みを形成することを特徴とする溝状構築物の側壁切断工法。
【請求項２】
前記補助切断刃と、主切断刃とは、共通の駆動軸に対し付け替えて用いられることを特徴とする請求項１記載の溝状構築物の側壁切断工法。
【請求項３】
走行機体と、この走行機体に取り付けられ、切断作用面を水平に配設した切断系装置とを具えて成り、前記切断刃は、切断作用面を、水平配置すると共に、作業中心から左右方向に偏寄自在に構成されていることを特徴とする溝状構築物の側壁切断装置。
【請求項４】
前記切断刃は、溝状構築物の案内部幅寸法より小径の補助切断刃と、溝状構築物の外径幅寸法にほぼ合致した主切断刃とが付け替え自在に備えられていることを特徴とする請求項３記載の溝状構築物の側壁切断装置。
【請求項５】
前記走行機体の下部には、前記案内部内の両側壁に各々当接する一対のガイドローラを有する姿勢維持ガイドが設けられていることを特徴とする請求項３または４記載の溝状構築物の側壁切断装置。
【請求項６】
前記切断刃の脱着を補助するため、走行機体を昇降させる昇降機構を具えていることを特徴とする請求項３、４または５記載の溝状構築物の側壁切断装置。
【請求項７】
前記走行機体に具えられる走行車輪は、前記溝状構築物の案内部をまたぐように左右に配置されるものであり、且つこの左右の走行車輪間のトレッド寸法は、調節自在とされていることを特徴とする請求項３、４、５または６記載の溝状構築物の側壁切断装置。
【発明の詳細な説明】
【技術分野】
【０００１】
本発明はコンクリート等の構築物の側壁部を水平方向に切断する工法並びに装置に関するものであって、特にＵ字溝等の溝状構築物の側壁上部等を切断するのに適応させた工法並びに装置の改良に係るものである。
【背景技術】
【０００２】
道路等の排水用側溝は、いわゆるユニット化して供給されたＵ字溝を埋め込んで形成されたものや、素掘りして溝に型枠をセットして生コンクリートを流し込んで、現場打ちして形成したものなどがある。このような構築物は、施工時から、年月を経た場合、地盤沈下や、反対に道路補修が繰り返されることによる路面嵩上げ等の周辺状況の変化等が生じ、その結果、側溝の上端高さと周辺高さとの不整状況が生ずる。このような状態となった場合、全面的に側溝等の改修を行う場合は別として、既存の側溝下方はそのまま利用して上部のみ修復施工することが行われる。このような修復工事にあっては、既存の側溝（Ｕ字溝）の上方を切断し、その上方に新たな側溝の側壁を形成する作業が必要とされるが、従来この側溝の上部を切断する工事は、専ら手作業でコンクリートカッタを側溝内面から作用させ、側溝側壁を水平方向に切断し、除去するものであった。当然ながらこのような作業形態は、作業労力を著しく要し、且つ危険も伴うものであった。
もちろんコンクリート構築物を水平に切断することに着眼した特殊な装置は、既に知られているが（特許文献１）、このものはマンホールに特化したものであるため、対象作業汎用性の面では限界があり、現実には前述の工事等への適用の余地は少なかった。
【特許文献１】特開昭６３−１３４１１０号公報
【発明の開示】
【発明が解決しようとする課題】
【０００３】
本発明はこのような背景からなされたものであって、Ｕ字溝等の狭小の溝状構築物の上部の水平切断を行うにあたって、その作業性を向上させ、比較的短時間に綺麗に作業を完了することのできる新規な溝状構築物の側壁切断工法並びに装置を実現しようとするものである。
【課題を解決するための手段】
【０００４】
すなわち請求項１記載の溝状構築物の側壁切断工法は、溝状構築物の案内部幅寸法より小径の補助切断刃を、切断作用面を水平配置とした状態で案内部内の切断高さに安定的に配置し、その後、この補助切断刃を切断対象である側壁側に偏寄させて、左右の側壁を片側ずつそれぞれ内側から切り込み、これを案内部長手方向に主切断刃が配置できる範囲に渡って続けることにより、この範囲における溝状構築物の両側部を切断して主切断刃の外径幅寸法にほぼ合致した主切断刃の作業開始スペースを確保し、次いで前記補助切断刃に替え、主切断刃を前記作業開始スペースへ切断作用面を配置した状態で長手方向の残余の側壁両面に同時に作用させ、切り込みを形成することを特徴として成るものである。
【０００５】
また請求項２記載の溝状構築物の側壁切断工法は、前記請求項１記載の要件に加え、前記補助切断刃と、主切断刃とは、共通の駆動軸に対し付け替えて用いられることを特徴として成るものである。
【０００６】
更に請求項３記載の溝状構築物の側壁切断装置は、走行機体と、この走行機体に取り付けられ、切断作用面を水平に配設した切断系装置とを具えて成り、前記切断刃は、切断作用面を、水平配置すると共に、作業中心から左右方向に偏寄自在に構成されていることを特徴として成るものである。
【０００７】
更にまた請求項４記載の溝状構築物の側壁切断装置は、前記請求項３記載の要件に加え、前記切断刃は、溝状構築物の案内部幅寸法より小径の補助切断刃と、溝状構築物の外径幅寸法にほぼ合致した主切断刃とが付け替え自在に備えられていることを特徴として成るものである。
【０００８】
更にまた請求項５記載の溝状構築物の側壁切断装置は、前記請求項３または４記載の要件に加え、前記走行機体の下部には、前記案内部内の両側壁に各々当接する一対のガイドローラを有する姿勢維持ガイドが設けられていることを特徴として成るものである。
【０００９】
更にまた請求項６記載の溝状構築物の側壁切断装置は、前記請求項３、４または５記載の要件に加え、前記切断刃の脱着を補助するため、走行機体を昇降させる昇降機構を具えていることを特徴として成るものである。
【００１０】
更にまた請求項７記載の溝状構築物の側壁切断装置は、前記請求項３、４、５または６記載の要件に加え、前記走行機体に具えられる走行車輪は、前記溝状構築物の案内部をまたぐように左右に配置されるものであり、且つこの左右の走行車輪間のトレッド寸法は、調節自在とされていることを特徴として成るものである。
【発明の効果】
【００１１】
本発明の溝状構築物の側壁切断工法並びに装置は、上述した手段により以下のような効果を奏するものである。
すなわち請求項１記載の溝状構築物の側壁切断工法によれば、溝状の構築物の両側壁を、溝状構築物の外径幅寸法にほぼ合致した主切断刃により、同時に切断することができるため、作業の効率が極めて高い。また切断時間の短縮により主切断刃に給水する水も少なくて済むことになるため、水タンク搭載用のトラック等の荷台スペースも少なく済ますことができる。
【００１２】
また請求項２記載の溝状構築物の側壁切断工法によれば、主切断刃と補助切断刃とを付け替えることにより、駆動系統の部品の共通化が行われ、装置の製造コストの削減が可能となる。
【００１３】
更に請求項３記載の溝状構築物の側壁切断装置によれば、走行機体に対し、左右方向に偏寄自在に切断刃が水平配置されるため、溝状構築物の側壁に切断刃を安定的に作用させることができ、能率的で省力化がなされ、作業危険性も排除した作業環境を提供し得る。
【００１４】
更にまた請求項４記載の溝状構築物の側壁切断装置によれば、溝状の構築物の両側壁を、溝状構築物の外径幅寸法にほぼ合致した主切断刃により、同時に切断することができるため、作業の効率が極めて高い。また切断時間の短縮により主切断刃に給水する水も少なくて済むことになるため、水タンク搭載用のトラック等の荷台スペースも少なく済ますことができる。
【００１５】
更にまた請求項５記載の溝状構築物の側壁切断装置によれば、姿勢維持ガイドにより、走行機体が切断刃の回転時の応力などにより偏寄されることなく、常に正しい姿勢が取れる。従って作業精度が良く、また不意に装置全体が姿勢を崩して回転するようなことがないため、周辺作業者を危険にさらすことがなく安全である。
【００１６】
更にまた請求項６記載の溝状構築物の側壁切断装置によれば、走行機体を昇降させる昇降機構を具えているため、切断刃の交換の際などの脱着が、容易に行うことが可能である。また更に姿勢維持ガイドを走行機体の下部に着脱する際にも着脱作業が容易となる。
【００１７】
更にまた請求項７記載の溝状構築物の側壁切断装置によれば、走行車輪間のトレッド寸法が、調節自在とされているため、走行車輪を溝状構築物のちょうど側壁上に位置することができ、溝状構築物の周辺が平坦でなくても切断高さレベルを一定に保つことができる。
【発明を実施するための最良の形態】
【００１８】
本発明の最良の形態は、具体的には以下の実施例に述べる通りである。
【実施例】
【００１９】
以下本発明を図示の実施の形態に基づき説明する。なお以下の説明にあたっては、まず本発明に係る溝状構築物の側壁切断装置について説明し、次いでこの装置の作動状態の説明と併せて本発明に係る溝状構築物の側壁切断方法について説明する。
【００２０】
図中符号１で示すものが本発明に係る溝状構築物の側壁切断装置であり、このものは、台車状の走行機体２と、この走行機体２に取り付けられ、切断刃の切断作用面を水平且つ左右に揺動自在に配設した切断系装置３とを具えて成る。なお本発明における溝状構築物の側壁切断装置１の前後左右は、溝状構築物Ｕの長手方向に沿う方向を前後方向とし、特に切断系装置３が配設されている側を前方とし、その前方側を向いて右手を右方とし、左側を左方とする。なお溝状構築物Ｕの側壁Ｕ１に囲まれた個所が排水等が流れる案内部Ｕ２である。
【００２１】
まず前記走行機体２について説明する。走行機体２は、車体フレーム１０と、四つの走行車輪１１と、走行機体２を走行駆動するとともに切断系装置３を駆動する原動機１３と、発電機及びバッテリと、ＨＳＴ（油圧駆動変速機）１４と、切断刃の脱着を補助するために走行機体２を昇降させる昇降機構４と、走行機体２を手動にて移動させるための手動走行機構５と、走行機体２の作業姿勢を安定させるための姿勢維持ガイド６と、前記切断系装置３を車両前進方向に向かって左右に揺動させる偏寄機構７等とを具備して成る。
【００２２】
前記走行車輪１１と昇降機構４について説明する。図３に示されるように後輪１１Ｂは車体フレーム１０に回転自在に支持された後輪軸１２Ｂの両端に対し取り付けられている。一方前輪１１Ｆは、前輪軸１２Ｆの両端に取り付けられ、且つ昇降機構４のための構造と組み合わされ、走行機体２の前方をリフトアップできるように構成されている。すなわち本実施例の特徴としてこの前輪軸１２Ｆが車体フレーム１０に対し、前輪支持アーム４１により上下方向に位置設定自在に取り付けられているものであって、支持アームの基端に固定される回動軸４２には操作アーム４３が固定され、この操作アーム４３を油圧シリンダ４４により回動操作することにより前輪１１Ｆを上下動させる。そして前輪１１Ｆを上下動させることにより、切断系装置３を持ち上げ可能としており、主切断刃３３Ｍ及び補助切断刃３３Ｓの着脱を容易に行い得るように構成している。なお前記油圧シリンダ４４は、電動モータで駆動される油圧ポンプ４５により作動される。
更に前記前輪軸１２Ｆ及び後輪軸１２Ｂは、長さ調節自在とされており、左右の走行車輪間のトレッド寸法が、調節自在に構成されている。具体的には図６に示すように、前輪１１Ｆ及び後輪１１Ｂを支持するスプライン軸１２１を、車体フレーム１０に対し回転自在に支持されたスプライン軸受１２０に対し、出没自在に嵌入して適宜位置においてセットボルト１２２により固定する構成を採っている。また走行機体２の上部には走行支持ハンドル１７が設けられている。
【００２３】
前記走行機体２の駆動方式について説明する。走行機体２は後輪駆動であり、図３に示されるように原動機１３の駆動軸に設けられた駆動プーリ１３ａの回転が、ベルトＢを介して転移プーリ１５、ＨＳＴプーリ１４ａと伝達され、ＨＳＴ１４を介して後輪軸１２Ｂに回転が伝達される。因みに図３の図示において、転移プーリ１５とＨＳＴプーリ１４ａとの間は、プーリ軸の配設が９０°交差している状況の下、ベルトＢを９０°軌道を捻転させて動力伝達しているが、いずれかのプーリ軸にベベルギヤ機構を組み込み、ベルトの懸張方向を捻転しない状態に設定することも可能である。なお符号１６で示す部材は、転移テンションプーリである。
【００２４】
次に手動走行機構５について説明する。図８に示されるように車体フレーム１０の後方側に、ほぼ鉛直に手動回転シャフト５１が回転自在に係止され、その上端にはハンドル５１ａが脱着自在に取り付けられる。また後輪軸１２Ｂとほぼ平行に中継シャフト５３が、車体フレーム１０に対し回転自在に設けられ、このものがかさ歯車５２Ａ、５２Ｂを介して前記手動回転シャフト５１と連結されている。また中継シャフト５３の中央付近にはギヤ５４が設けられ、これが後輪軸１２Ｂのギヤ５５に噛み合わされている。
手動走行機構５は以上のようにして成り、ハンドル５１ａの回転が、手動回転シャフト５１、中継シャフト５３、後輪軸１２Ｂと伝達されて、手動走行がなされる。
【００２５】
次に姿勢維持ガイド６について説明する。姿勢維持ガイド６は、図２、５、７に示されるように車体フレーム１０の下部に取り付けられて、溝状構築物Ｕの案内部Ｕ２内に収まり、走行車体の姿勢が維持されるようにするものである。具体的には案内部Ｕ２内に収まる幅を有したフレーム６１に対し、前後左右に四つのガイドローラ６２が側方に張り出して、設けられている。
また走行機体２の前方上部には図１に示すようにライト１８が設けられ、後端には作業者が乗車するための乗車ステップ２５が設けられている。
【００２６】
次に偏寄機構７について説明する。偏寄機構７は、補助切断刃３３Ｓを用いた切断時において、切断系装置３を左右に手動により偏寄させる機構である。なお手動による他、モータ駆動や油圧シリンダにより左右にシフトする機構としても良い。
偏寄機構７は、具体的には図９に示されるように切断系装置３のブレードフレーム３１の後端部を形成するアーム部フレーム３１Ａを、車体フレーム１０に対し回動軸３１Ｐにより回動自在に接続している。一方、車体フレーム１０の幅方向には、スクリューシャフト７３が回転自在に設けられ、このスクリューシャフト７３にはメネジブロック状のシフタ７４が螺合され、このシフタ７４における係合ピン７４Ｐが前記アーム部フレーム３１Ａの後端に形成された入力孔３１Ｅに互いの関節運動が可能なように充分な余裕を持って回動自在に接続されている。一方スクリューシャフト７３の一端側にはウオームホイール７３ａが設けられ、このウオームホイール７３ａに噛み合うウオーム７２ａを下端に有した中継シャフト７２が後斜め上方に回転自在に立ち上げられている。そしてこの中継シャフト７２の上端と、手動回転シャフト７１の下端とは、ユニバーサルジョイントにより接続されている。手動回転シャフト７１の上端は、走行機体２の上方に突出しており、この上端に着脱自在なハンドル７１ａが設けられる。
偏寄機構７は以上のようにして成り、ハンドル７１ａの回転がシフタ７３の左右方向の摺動運動に変換され、以て補助切断刃３３Ｓが左右に偏寄する。
【００２７】
また走行機体２の後部側に設けられた操作スイッチ関係の概要について説明すると、走行機体２の背面には、図５に示されるように前進と後退の切り換えを行う前進後進切換レバー１９、走行速度を切断時の速度と回送時の速度を変更する変速切換レバー２０、上記各設定時における走行速度を調整するための原動機回転数変更レバー２２、パーキングブレーキ２３、前記ライト１８の点灯、消灯を行うためのライトスイッチ２４、エンジンキースイッチ及びチョークレバー等が設けられている。因みに前記変速切換レバー２０は、切断時側と回送時側と選択的に切り換えるものであり、切断時側にレバーを入れた場合には、前進速度は０〜３３０ｍ／ｈまで、後進速度は０〜６５０ｍ／ｈまで調整でき、一方、回送時側にレバーを入れた場合には、前進速度は、０〜２．５ｋｍ／ｈまで、後進速度は０〜５ｋｍ／ｈまで調整できる。
【００２８】
走行機体２の一例は以上述べた構成を有するものであり、次にこの走行機体２に搭載される切断系装置３について説明する。
図９に示されるように、ブレードフレーム３１における軸受部フレーム３１Ｂのほぼ中央の鉛直方向に対し、駆動軸３２が回転自在に設けられ、これによって円形状の主切断刃３３Ｍ及び補助切断刃３３Ｓが回転駆動される。駆動軸３２は駆動軸本体３２０の下部に接続自在なジョイントシャフト３２５が設けられて成り、ジョイントシャフト３２５を付け替えることにより駆動軸３２の長さを変更でき、以て主切断刃３３Ｍ及び補助切断刃３３Ｓの切断高さレベルを変更可能としている。従ってジョイントシャフト３２５は長さが複数種類のものが用意される。
【００２９】
具体的な前記駆動軸本体３２０とジョイントシャフト３２５との接続構造は、ネジ構造による締結を適用するもので、一例として、駆動軸本体３２０の下端側にはオネジ３２１が形成され、ジョイントシャフト３２５の上端にはこれと螺合するメネジ３２６が形成されている。駆動軸本体３２０及びジョイントシャフト３２５には、ジョイントシャフト３２５、主切断刃３３Ｍ及び補助切断刃３３Ｓの着脱を行う際にスパナを掛け止めるスパナ掛け溝３２２、３２８がそれぞれ形成されている。
ジョイントシャフト３２５の下端には、オネジ３２７が形成され、ここにホルダ３４で主切断刃３３Ｍ若しくは補助切断刃３３Ｓを挟んだ状態で嵌め入れ、切断刃取付ナット３５により締結固定される。
【００３０】
また駆動軸３２の上端には、図４に示すように切断刃プーリ３７が設けられ、この切断刃プーリ３７と、前記原動機１３の駆動プーリ１３ａとの間にベルトＢが掛け留められる。なお図３中符号３８で示す部材は切断刃テンションプーリである。
【００３１】
次に冷却水による切断刃の冷却構造について説明する。まず冷却水は外部周辺に設置した冷却水タンクに用意されるものであって、ここから冷却水ホース２６により供給され、主切断刃３３Ｍまたは補助切断刃３３Ｓを支持するホルダ３４に供給され、ホルダ３４の円周面に穿孔された吐水孔３４ａより、冷却水が噴出され、刃先及び切断作用面３３ａの冷却が行われるものである。すなわち前記駆動軸本体３２０及びジョイントシャフト３２５の軸芯には、給水孔３２３、３２９が穿孔されているものであり、この駆動軸本体３２０の上端には、図４に示すように中空円筒形の冷却水受け３９が軸受けを介して接続されている。そしてこの冷却水受け３９はブレードフレーム３１から立ち上げられた冷却水受けアーム３９Ａにより支持されている。この冷却水受け３９に対し前記冷却水ホース２６が接続されるものであって、冷却水ホース２６から供給された冷却水は、冷却水受け３９、駆動軸本体３２０、ジョイントシャフト３２５、ホルダ３４と順次流れ、ホルダ３４に穿孔された吐水孔３４ａから切断刃本体３１に対し噴出されるものである。
【００３２】
また主切断刃３３Ｍまたは補助切断刃３３Ｓのやや上方周囲を囲むように円形状のフード３６Ａが設けられ、更にこのフード３６Ａの周縁に合成樹脂シート等の切断刃カバー３６Ｂが垂れ下がるように設けられて切削片が周辺に飛散することが防止されている。
【００３３】
本発明の溝状構築物の側壁切断装置１の一例は、以上のような具体的形態を有するものであって、以下この作動態様を説明しながら併せて本発明の溝状構築物の側壁切断方法について説明する。
（１）切断準備
主切断刃３３Ｍによる切断を行う前に、この主切断刃３３Ｍの配置スペース（作業開始スペースＳ）を確保するために、補助切断刃３３Ｓを用いて溝状構築物Ｕ上部の一部切除を行う。まず走行機体２の前輪１１Ｆ及び後輪１１Ｂが、丁度溝状構築物Ｕの上端に載るように車輪間の幅調整を行った後、溝状構築物Ｕの上端に載置する。次に走行機体２の下部に姿勢維持ガイド６を取り付けるとともに、切断系装置３に対し、作業目的に適合したサイズの補助切断刃３３Ｓとジョイントシャフト３２５を取り付ける。なおこの取り付けの際、油圧昇降レバー２１を操作して油圧シリンダ４４を駆動して前輪支持アーム４１の前輪１１Ｆ支持側を下方へ回動させて、切断系装置３を持ち上げて行うことができるため、作業が行いやすい。なお、姿勢維持ガイド６や補助切断刃３３Ｓは予め取り付けておき、クレーン等により持ち上げて溝状構築物の側壁切断装置１を溝状構築物Ｕの上端に載置するような使用例も採り得る。
また溝状構築物Ｕの側壁Ｕ１上端面が、所々欠落しているなどして、凹凸がある場合には、例えば図１（ｂ）に示されるようなアングル状の走行レールＧを敷設して作業を行う。
【００３４】
（２）主切断刃の作業開始スペースの確保（補助切断刃による切断）（図１２参照）
以上のような切断準備が整った後、原動機１３を駆動し走行機体２は停止の状態とし、手動回転シャフト７１のハンドル７１ａを回転させて、切断系装置３を偏寄させ、補助切断刃３３Ｓの刃先を溝状構築物Ｕの側壁Ｕ１に当接させる（図１２（ａ）参照）。側壁Ｕ１を貫通して切断した後、図１２（ｂ）に示すように溝状構築物の側壁切断装置１を後退走行させ、主切断刃３３Ｍが設置できる範囲長さ（主切断刃３３Ｍによる作業開始スペースＳ分の長さ）に渡って切断を行う（図１２中右切断開始部Ｒ１〜右切断終了部Ｒ２までの切断）。なお切断を行っている最中に、ホルダ３４の吐水孔３４ａから冷却水が噴出し、刃先及び切断作用面３３ａに掛かって冷却が行われる。
片側の側壁Ｕ１の切断が終了した後、反対側の側壁Ｕ１の切断を行う。反対側の側壁Ｕ１の切断を行うにあたっては、手動回転シャフト７１のハンドル７１ａを回して図１２（Ｃ）に示すように補助切断刃３３Ｓを反対側の側壁Ｕ１に当接させ、上述したように側壁Ｕ１を貫通して切断し、その後、図１２（ｄ）に示すように走行機体２を前進して切断した側壁Ｕ１と同じ長さ範囲に渡って切断を行う（図１２（ｄ）中左切断開始部Ｌ１〜左切断終了部Ｌ２までの切断）。
【００３５】
（３）主切断刃の作業開始スペースの確保（はつり除去）（図１３（ａ）参照）
溝状構築物の側壁切断装置１を退去した後、ハンドブレーカＨ等を用いて、上記切断された側壁Ｕ１の端部位置をはつり、切断された上部切断ブロックＵ１０の除去を行う。
なお場所によっては、上述した補助切断刃３３Ｓを用いた主切断刃３３Ｍのための作業開始スペースＳの確保の作業をしなくとも、最初から作業開始スペースＳが存在している場合があるが、このような場合には、もちろん補助切断刃３３Ｓを用いた作業開始スペースＳの確保の作業は必要としない。
【００３６】
（４）主切断刃による切断（図１３（ｂ）（ｃ）参照）
油圧昇降レバー２１を操作して切断系装置３を持ち上げ、補助切断刃３３Ｓを主切断刃３３Ｍに交換する。交換するにあたっては、まずジョイントシャフト３２５のスパナ掛け溝３２８にスパナを掛けて回転しないように固定した状態で、切断刃取付ナット３５をスパナ等により取り外す。次いで下方側のホルダ３４と補助切断刃３３Ｓを取り外し、主切断刃３３Ｍに交換して主切断刃３３Ｍと下方側のホルダ３４をジョイントシャフト３２５のオネジ３２７に嵌挿して再び切断刃取付ナット３５で固定する。
以上のように主切断刃３３Ｍに交換した後、再度油圧昇降レバー２１を操作して切断系装置３を下げて、前記溝状構築物Ｕの上部が切除された作業開始スペースＳに、溝状構築物Ｕの外径幅寸法にほぼ合致した主切断刃３３Ｍを配置し、走行車体をゆっくりと後退走行させて左右両側壁Ｕ１を同時に切断を行う。
なお溝状構築物Ｕの側壁Ｕ１に隣接して隣家の境界壁等が構築されているような場合には、隣家の境界壁等の損傷を防ぐため、適宜主切断刃３３Ｍを偏寄し、その側壁Ｕ１に対し主切断刃３３Ｍを貫通して切断しないよう配慮する。なおこのように側壁Ｕ１を貫通せず切り残す切削の場合にも本明細書では側壁Ｕ１の切断と定義する。
【００３７】
（５）切断個所の除去（図１３（ｄ）参照）
例えば切断終端個所から、溝状構築物の側壁切断装置１を移動させ、切断終端個所をハンドブレーカＨ等によりはつり、側壁Ｕ１の上部の上部切断ブロックＵ１１を取り除く。
【００３８】
（６）手動走行
また例えば、原動機１３を駆動しないで走行させたい場合には、図８に示される手動回転シャフト５１のハンドル５１ａを回転させて、移動させる。ハンドル５１ａを回転して手動回転シャフト５１を回転すると、かさ歯車５２Ａ、５２Ｂを介して中継シャフト７２が回転され、更に中継シャフト５３のギヤ５４を介して後輪軸１２Ｂが回転されて走行する。
【図面の簡単な説明】
【００３９】
【図１】本発明の溝状構築物の側壁切断装置の使用状態を示す斜め前方からの斜視図である。
【図２】同上、斜め後方からの斜視図である。
【図３】本発明の溝状構築物の側壁切断装置を示す平面図である。
【図４】同上、側面図である。
【図５】同上、背面図である。
【図６】走行車輪の車幅調整機構部位を示す背面図である。
【図７】姿勢維持ガイドを示す平面図である。
【図８】手動走行機構を示す分解斜視図である。
【図９】偏寄機構を示す平面図である。
【図１０】同上側面図である。
【図１１】駆動軸の構造を示す分解斜視図である。
【図１２】補助切断刃による切断の様子を段階的に示す平面図である。
【図１３】はつり除去、主切断刃への変換、主切断刃による切断及び切断個所の除去の様子を示す側面図及び平面図である。
【符号の説明】
【００４０】
１        溝状構築物の側壁切断装置
２        走行機体
３        切断系装置
４        昇降機構
５        手動走行機構
６        姿勢維持ガイド
７        偏寄機構
１０      車体フレーム
１１      走行車輪
１１Ｆ    前輪
１１Ｂ    後輪
１２Ｆ    前輪軸
１２Ｂ    後輪軸
１２０    スプライン軸受
１２１    スプライン軸
１２２    セットボルト
１３      原動機
１３ａ    駆動プーリ
１４      ＨＳＴ
１４ａ    ＨＳＴプーリ
１５      転移プーリ
１６      転移テンションプーリ
１７      走行支持ハンドル
１８      ライト
１９      前進後進切換レバー
２０      変速切換レバー
２１      油圧昇降レバー
２２      原動機回転数変更レバー
２３      パーキングブレーキ
２４      ライトスイッチ
２５      乗車ステップ
２６      冷却水ホース
３１      ブレードフレーム
３１Ａ    アーム部フレーム
３１Ｂ    軸受部フレーム
３１Ｅ    入力孔
３１Ｐ    回動軸
３２      駆動軸
３２０    駆動軸本体
３２１    オネジ
３２２    スパナ掛け溝
３２３    給水孔
３２５    ジョイントシャフト
３２６    メネジ
３２７    オネジ
３２８    スパナ掛け溝
３２９    給水孔
３３Ｍ    主切断刃
３３Ｓ    補助切断刃
３３ａ    切断作用面
３４      ホルダ
３４ａ    吐水孔
３５      切断刃取付ナット
３６Ａ    フード
３６Ｂ    切断刃カバー
３７      切断刃プーリ
３８      切断刃テンションプーリ
３９      冷却水受け
３９Ａ    冷却水受けアーム
４１      前輪支持アーム
４２      回動軸
４３      操作アーム
４４      油圧シリンダ
４５      油圧ポンプ
５１      手動回転シャフト
５１ａ    ハンドル
５２Ａ    かさ歯車
５２Ｂ    かさ歯車
５３      中継シャフト
５４      ギヤ
５５      ギヤ
６１      フレーム
６２      ガイドローラ
７１      手動回転シャフト
７１ａ    ハンドル
７２      中継シャフト
７２ａ    ウオーム
７３      スクリューシャフト
７３ａ    ウオームホイール
７４      シフタ
７４Ｐ    係合ピン
Ｂ        ベルト
Ｇ        走行レール
Ｈ        ハンドブレーカ
Ｓ        作業開始スペース
Ｕ        溝状構築物
Ｕ１      側壁
Ｕ１０    上部切断ブロック
Ｕ１１    上部切断ブロック
Ｕ２      案内部
Ｒ１      右切断開始部
Ｒ２      右切断終了部
Ｌ１      左切断開始部
Ｌ２      左切断終了部
【図１】
2006256218.tif 000003
【図２】
2006256218.tif 000004
【図３】
2006256218.tif 000005
【図４】
2006256218.tif 000006
【図５】
2006256218.tif 000007
【図６】
2006256218.tif 000008
【図７】
2006256218.tif 000009
【図８】
2006256218.tif 000010
【図９】
2006256218.tif 000011
【図１０】
2006256218.tif 000012
【図１１】
2006256218.tif 000013
【図１２】
2006256218.tif 000014
【図１３】
2006256218.tif 000015